(57)【特許請求の範囲】
【請求項１】
発信者の電話端末から相手先の電話端末の番号を受け取り、特定の制御により、インターネットを含む接続可能な複数のネットワークから１つを選択し、選択されたネットワークに接続するための手段と、
前記発信者の電話端末から受信した前記相手先の電話端末の番号を記憶する記憶手段と、
前記発信者の電話端末と前記相手先のインターネット電話用端末とが前記インターネット経由で接続されているときに前記発信者の電話端末において行われた所定の操作に応答して、前記記憶手段に記憶された相手先の電話端末の番号を用いて公衆網経由で当該相手先の電話端末を呼び出し、前記発信者の電話端末と前記相手先の電話端末とを前記公衆網経由で接続するための手段とを有する交換機であり、
前記交換機は更に、前記発信者の電話端末から前記相手先の電話端末の番号を受け取り、インターネットを含む接続可能な複数のネットワークから最も安価なネットワークを選択し、選択されたネットワークに接続する手段を有することを特徴とする交換機。
【請求項２】
前記所定の操作は、オンフック後の特番ダイアル操作またはボタン操作であることを特徴とする請求項１に記載の交換機。
【請求項３】
前記所定の操作は、フッキング後の特番ダイアル操作またはボタン操作であることを特徴とする請求項１に記載の交換機。
【請求項４】
発信者の電話端末から相手先の電話端末の番号を受け取り、特定の制御により、インターネットを含む接続可能な複数のネットワークから１つを選択し、選択されたネットワークに接続するための手段と、
前記発信者の電話端末から受信した前記相手先の電話端末の番号を記憶する記憶手段と、
前記発信者の電話端末と前記相手先のインターネット電話用端末とが前記インターネット経由で接続されているときに前記発信者の電話端末において行われた所定の操作に応答して、前記記憶手段に記憶された相手先の電話端末の番号を用いて公衆網経由で当該相手先の電話端末を呼び出し、前記発信者の電話端末と前記相手先の電話端末とを前記公衆網経由で接続するための手段とを有する交換機であり、
前記交換機は更に、インターネット経由での発信が方路話中状態である時、インターネット以外のネットワークに切替えて相手先電話端末に発信する手段を有することを特徴とする交換機。
【請求項５】
発信者の電話端末から相手先の電話端末の番号を受け取り、特定の制御により、インターネットを含む接続可能な複数のネットワークから１つを選択し、選択されたネットワークに接続するための手段と、
前記発信者の電話端末から受信した前記相手先の電話端末の番号を記憶する記憶手段と、
前記発信者の電話端末と前記相手先のインターネット電話用端末とが前記インターネット経由で接続されているときに前記発信者の電話端末において行われた所定の操作に応答して、前記記憶手段に記憶された相手先の電話端末の番号を用いて公衆網経由で当該相手先の電話端末を呼び出し、前記発信者の電話端末と前記相手先の電話端末とを前記公衆網経由で接続するための手段とを有する交換機であり、
前記交換機は更に、インターネット経由での発信が相手不応答である時、インターネット以外のネットワークに切替えて相手先電話端末に発信する手段を有することを特徴とする交換機。
【発明の詳細な説明】
【０００１】
【発明の属する技術分野】
本発明は交換機に関し、特に、インターネット経由の通話に好適であり、インターネット経由の通話を別回線経由すなわち別のネットワークを介した通話に切替える機能を有する交換機及び交換機制御プログラム記録媒体に関する。
【０００２】
【従来の技術】
インターネット電話を利用することにより、通話料金はインターネットプロバイダーまでの通話料金とプロバイダーの利用料金となるため、通信費の大幅な削減が可能となる。そのため、インターネット電話の長距離通話等への利用要求は高い。
【０００３】
図１は従来のインターネット電話の一例を示す図である。同図中、パソコンＡからパソコンＢに発信する場合、パソコンＡにおいてパソコンＢのＩＰアドレスを指定すると、インターネット経由でパソコンＢのＩＰアドレスに対応したパソコンと接続し、通話を行う。
【０００４】
【発明が解決しようとする課題】
しかしながら、上記の従来の方法においては、インターネットを介した通話を行うにはパソコンに相手先ＩＰアドレスを入力する等の操作が必要であり、インターネット回線の状況によっては良好な通話音質を確保できない場合が発生する問題点がある。そのため、インターネットを介した接続を一旦切断し、電話回線等を経由した通話に切替えるため、手動で再度ダイアルをし直す必要がある。また、ＩＰアドレスと電話回線用の相手先番号等、複数の番号を発信者は認識しておく必要がある。
【０００５】
本発明は上記の点に鑑みなされたもので、発信者は１つの相手先番号を認識しておくだけでインターネットを含む複数のネットワークを選択でき、簡易な操作によりネットワークの切替えを行うことができ、インターネットの方路話中等の所定の場合は、発信者が意識することなくインターネット経由から別のネットワーク経由へ切替え、発信することができる切替機能を具備した交換機及びこの切替機能を実現するプログラムを格納したコンピュータ読み取り可能な記録媒体を提供することを目的とする。
【０００６】
【課題を解決するための手段】
【０００８】
上記課題を解決するための本発明の構成は、以下の通りである。請求項１に記載の発明は、発信者の電話端末から相手先の電話端末の番号を受け取り、特定の制御により、インターネットを含む接続可能な複数のネットワークから１つを選択し、選択されたネットワークに接続するための手段と、前記発信者の電話端末から受信した前記相手先の電話端末の番号を記憶する記憶手段と、前記発信者の電話端末と前記相手先のインターネット電話用端末とが前記インターネット経由で接続されているときに前記発信者の電話端末において行われた所定の操作に応答して、前記記憶手段に記憶された相手先の電話端末の番号を用いて公衆網経由で当該相手先の電話端末を呼び出し、前記発信者の電話端末と前記相手先の電話端末とを前記公衆網経由で接続するための手段とを有することを特徴とする交換機であり、前記交換機は更に、前記発信者の電話端末から前記相手先の電話端末の番号を受け取り、インターネットを含む接続可能な複数のネットワークから最も安価なネットワークを選択し、選択されたネットワークに接続する手段を有することを特徴を有する。
この発明により、受け取った相手先の電話端末の番号から、所定の制御に従い、インターネットを含む接続可能な複数のネットワークのうちの１つを選択できるので、電話端末の番号を入力することでインターネットを介して相手先に接続することや、例えば公衆網を介して相手先に接続することができるようになる。よって、従来のように各ネットワークに固有の相手先番号を発信者が認識する必要はなく、１つの番号を認識していれば良い。
また、この発明により、インターネットを介した通話を発信者の操作により容易にインターネット以外のネットワークを介した通話に切替えることができるので、インターネットの通話音質が低下した場合に、従来のように一旦接続を切断して、かけ直す操作をすること無く、インターネット以外のネットワークを介した通話に切替えて通話を行うことができる。
また、この発明により、受け取った相手先の電話端末の番号から、インターネットを含む接続可能な複数のネットワークのうちの最も安価なネットワークを自動的に選択できるので、最も安価なネットワークを選択する場合に、従来のように各ネットワークに固有の相手先番号を発信者が認識する必要は無く、１つの番号を認識していれば良い。
【０００９】
請求項２に記載の発明においては、前記所定の操作は、オンフック後の特番ダイアル操作またはボタン操作であることを特徴とする。この発明により、オンフック後の特番ダイアル操作またはボタン操作をすることで、インターネットを介した通話をインターネット以外のネットワークを介した通話に切替えることができるので、インターネットの通話音質が低下した場合に、従来のように接続を切断してかけ直す操作をすること無く、インターネット以外のネットワークを介した通話に切替えて通話を行うことができる。
【００１０】
請求項３に記載の発明においては、前記所定の操作は、フッキング後の特番ダイアル操作またはボタン操作であることを特徴とする。この発明により、フッキング後の特番ダイアル操作またはボタン操作をすることで、インターネットを介した通話をインターネット以外のネットワークを介した通話に切替えることができるので、インターネットの通話音質が低下した場合に、従来のように接続を切断してかけ直す操作をすること無く、インターネット以外のネットワークを介した通話に切替えて通話を行うことができる。
【００１１】
請求項４に記載の発明は、発信者の電話端末から相手先の電話端末の番号を受け取り、特定の制御により、インターネットを含む接続可能な複数のネットワークから１つを選択し、選択されたネットワークに接続するための手段と、前記発信者の電話端末から受信した前記相手先の電話端末の番号を記憶する記憶手段と、前記発信者の電話端末と前記相手先のインターネット電話用端末とが前記インターネット経由で接続されているときに前記発信者の電話端末において行われた所定の操作に応答して、前記記憶手段に記憶された相手先の電話端末の番号を用いて公衆網経由で当該相手先の電話端末を呼び出し、前記発信者の電話端末と前記相手先の電話端末とを前記公衆網経由で接続するための手段とを有する交換機であり、前記交換機は更に、インターネット経由での発信が方路話中状態である時、インターネット以外のネットワークに切替えて相手先電話端末に発信する手段を有する。
この発明により、インターネット方路が話中である時、自動的にインターネット以外のネットワークに切替えて相手先電話端末に発信されるので、発信者は従来のように電話をかけ直すこと無く、通話を開始することができる。
【００１２】
請求項５に記載の発明は、発信者の電話端末から相手先の電話端末の番号を受け取り、特定の制御により、インターネットを含む接続可能な複数のネットワークから１つを選択し、選択されたネットワークに接続するための手段と、前記発信者の電話端末から受信した前記相手先の電話端末の番号を記憶する記憶手段と、前記発信者の電話端末と前記相手先のインターネット電話用端末とが前記インターネット経由で接続されているときに前記発信者の電話端末において行われた所定の操作に応答して、前記記憶手段に記憶された相手先の電話端末の番号を用いて公衆網経由で当該相手先の電話端末を呼び出し、前記発信者の電話端末と前記相手先の電話端末とを前記公衆網経由で接続するための手段とを有する交換機であり、前記交換機は更に、インターネット経由での発信が相手不応答である時、インターネット以外のネットワークに切替えて相手先電話端末に発信する手段を有する。
この発明により、インターネット又は相手先端末に不具合等がありインターネット経由での接続ができない場合、自動的にインターネット以外のネットワークに切替えて相手先電話端末に発信されるので、発信者は従来のように電話をかけ直すこと無く、通話を開始することができる。
【００１３】
なお、本発明の実施形態によれば、交換機制御プログラム記録媒体が提供され、その交換機制御プログラム記録媒体は、交換機を、発信者の電話端末から相手先の電話端末の番号を受け取り、当該相手先の電話端末の番号を前記交換機の記憶手段に格納し、特定の制御により、インターネットを含む接続可能な複数のネットワークから１つを選択し、選択されたネットワークに接続するための手段、前記発信者の電話端末と前記相手先のインターネット電話用端末とが前記インターネット経由で接続されているときに前記発信者の電話端末において行われた所定の操作に応答して、前記記憶手段に記憶された相手先の電話端末の番号を用いて公衆網経由で当該相手先の電話端末を呼び出し、前記発信者の電話端末と前記相手先の電話端末とを前記公衆網経由で接続するための手段、として機能させる交換機制御プログラムを格納する。
【００１４】
【発明の実施の形態】
図２は本発明の第１の実施例における通信システムの構成図を示す。同図中、Ａの電話端末２６は交換機１０に接続されている。交換機１０は、インターネットゲートウェイ１６とインターネット１８を経由してＢのパソコン２２と接続し、公衆網２０を経由してＢの電話端末２４に接続できる。交換機１０はインターネットゲートウェイ１６に接続するトランク１２と、公衆網２０に接続するトランク１４を有する。また、交換機１０は最も安価な通話路を選択する機能、換言すれば、どのネットワークを経由すれば通話料金が最も安価になるかをチェックして選択する機能（以下、ＬＣＲ制御機能と称す。）とスイッチ部３０（ＳＷ）を有する。
【００１５】
Ａの電話端末２６においてＢの電話番号（１２３−４５６７）をダイアルし、、交換機１０がＬＣＲ制御機能によりインターネット１８経由の通話路を選択した場合、インターネットゲートウェイ１６においてＢの電話番号（１２３−４５６７）はＢのＩＰアドレスに変換され、Ａの電話端末２６はＢのパソコン２２と通話を行う。インターネット１８の回線の状況等によって良好な通話音質を確保できない場合には、Ａの電話端末２６からの簡易な操作（後述する）により公衆網２０経由へ切替り（Ｋ１）、発信を行う。また、公衆網経由で通話中にＡの電話端末２６から同様の簡易な操作を行うとインターネット１８経由へ切替り（Ｋ２）、発信を行う。
【００１６】
図３は図２に記載の交換機１０及びインターネットゲートウェイ１６の構成図を示す。交換機１０は、インターネットゲートウェイ１６に接続するトランク３６1 〜３６n と、公衆網に接続するトランク３８1 〜３８m を有する。また、交換機１０は、スイッチ部（ＳＷ）３０、制御部（ＣＣ）３２、メモリ（ＭＭ）３４を有する。制御部３２は、通話料金が最も安価になるネットワークを選択する機能を有するＬＣＲ制御部３２1 、あるネットワークから別のネットワークへの切替制御機能を有する切替制御部３２2 、あるネットワークから別のネットワークに切替わり、再度発信を行う動作を制御する再発信制御部３２3 の機能を有する。メモリ３４はインターネット方路の番号と公衆網方路の番号を記憶する。また、インターネットゲートウェイ１６は、回線インターフェース４０、音声変換部４２、着番号／ＩＰアドレス変換部４４を有する。回線インターフェース４０はトランク３６1 〜３６n と接続しており、音声変換部４２と着番号／ＩＰアドレス変換部４４はそれぞれ回線インターフェース部４０とインターネット１８に接続されている。
【００１７】
図４はインターネットゲートウェイ１６のソフトウェア構成を示す。同図に示すように、インターネットゲートウェイ１６のソフトウェアは、インターネット等との接続機能を有するインターフェース部５０、音声をパケットに変換する音声処理部５２、ＴＣＰ／ＩＰ及びＨ．３２３等の通信プロトコルを処理して通信を行う通信プロトコル処理部５４、デバイスドライバ５６、音声処理の管理を行う音声処理管理部５８、回線の管理を行う回線管理部６０、接続制御部６２、アプリケーション部６４、呼情報等を管理するデータベース部６６から構成され、インターネット経由での音声通話に必要な処理を行う。なお、インターフェース部５０と音声処理部５２はハードウェアで処理され、それ以外は上記のソフトウェアで処理される。
【００１８】
図３に示す構成の動作の概略は次の通りである。交換機１０がＡの電話端末２６からＢへのダイアル情報（１２３−４５６７）を受信すると、ＬＣＲ制御部３２1 はメモリ３４の内容を参照して最も安価な通話路を選択する。その結果、インターネット方路が選択された場合、インターネットゲートウェイ１６に接続されたトランク３６1 〜３６n の中から１つのトランクを捕捉する。インターネットゲートウェイ１６は交換機１０よりＢへのダイアル情報（１２３−４５６７）を受信すると、着番号／アドレス変換部４４によりパソコン２２へのＩＰアドレスに変換してインターネット１８に送出することにより、インターネットゲートウェイ１６はパソコン２２と接続される。更に、音声変換４２により音声をＩＰパケットに変換することにより、電話端末２６とパソコン２２の通話が行われる。
【００１９】
ここで、電話端末２６から、公衆網２０経由への切替要求を交換機１０が受信した場合、交換機１０は制御部３２の切替制御３２2 によりインターネットゲートウェイ１６との接続を切断し、トランクを開放し、メモリ３４より公衆網方路を選択してトランク３８1 〜３８m の中から１つのトランクを捕捉する。さらに、再発信制御３２3 によりメモリ３４に記憶しておいたＢのダイアル情報（１２３−４５６７）により発信を行う。
【００２０】
次に、図５、図６、図７、図８、図９に示すシーケンスにより、図３に示す構成の動作を詳細に説明する。
図５は切替がない場合のシーケンスを示す。電話端末２６がＢへ発信を行うと（Ｓ１）、交換機１０のメモリ３４はＢの電話番号（１２３−４５６７）を記憶する（Ｓ２）とともに、ＬＣＲ制御により最も安価な通話路を選択する（Ｓ３）。ＬＣＲ制御によりインターネット経由通話路が選択された場合、トランク３６1 〜３６n の中から捕捉されたトランクに対して交換機１０のスイッチ３０を介してＢへのトランク発信を行う（Ｓ４）。インターネットゲートウェイ１６はＢの電話番号（１２３−４５６７）をパソコン２２のＩＰアドレスに変換し（Ｓ５）、インターネット１８経由でアドレスレゾリューションプロトコル（ＡＲＰ）によりパソコン２２へ接続をかけ（Ｓ６）、インターネットゲートウェイ１６とパソコン２２の区間でリンクが確立されるまでの間、インターネットゲートウェイ１６はリングバックトーン（ＲＢＴ）を交換機１０に送出し（Ｓ７）、交換機１０はリングバックトーン（ＲＢＴ）を電話端末２６に送出する（Ｓ８）。インターネットゲートウェイ１６とパソコン２２の区間でＴＣＰ／ＩＰリンクが確立されると（Ｓ９）、電話端末２６とインターネットゲートウェイ１６が回線接続され（Ｓ１０）、インターネットゲートウェイ１６とパソコン２２はＵＤＰによる通信（Ｓ１２）が行われることにより電話端末２６とパソコン２２の通話が開始される。この時、インターネットゲートウェイ１６の音声変換部４２とパソコン２２では音声とパケットの変換処理（Ｓ１１、Ｓ１３）が行われている。電話端末２６と交換機１０との接続が切断すると（Ｓ１４）、交換機１０のトランクが解放され（Ｓ１５）、ＴＣＰ／ＩＰリンクが解放し（Ｓ１６）、通話が終了する。
【００２１】
図６は、発信者のオンフックと特番ダイアル又はボタン押下による切替方式によるシーケンスを示す。この切替方式は、前述した簡易な操作による切替方式の一つである。同図中、電話端末２６とパソコン２２がインターネット１８経由で通話を行っている際（Ｓ１０、Ｓ１１、Ｓ１２、Ｓ１３）、電話端末２６のオンフック（Ｓ１７）により、電話端末２６と交換機１０の接続が切断され（Ｓ１４）、交換機１０はトランクの解放を行い（Ｓ１５）、インターネットゲートウェイ１６とパソコン２２間のＴＣＰ／ＩＰリンクが解放されて通話が終了する。続いて電話端末２６において特番（予め決めておいた固有の番号）をダイアル（Ｓ１８）又はボタン押下（Ｓ１９）することで、交換機１０における制御部３２のＬＣＲ制御３２１、切替制御３２２、再発信制御３２３の機能により、図５に示したＳ２の結果で交換機１０のメモリ３４に記憶されているＢの電話番号（１２３−４５６７）よりＬＣＲ制御を行い（Ｓ３）、交換機１０は公衆網接続のトランク３８1 〜３８m の中から１つのトランクを捕捉する。更に、Ｂの電話番号（１２３−４５６７）が公衆網２０に送出され（Ｓ２０）、Ｂへ着信し（Ｓ２１）、電話端末２４において呼出が行われる。Ｂが応答すれば（Ｓ２２）回線接続され（Ｓ２３）、電話端末２６と電話端末２４との通話が開始される。
【００２２】
このように、簡易な操作でネットワークの切替えが行われるので、発信者は電話を切断して別の番号にかけ直すこと無く、容易に通話を続けることができる。
図７は、発信者のフッキングと、特番ダイアル又はボタン操作による切替方式によるシーケンスを示す。この切替方式も、前述した簡易な操作による切替方式の一つである。同図中、電話端末２６とパソコン２２がインターネット１８経由で通話を行っている際（Ｓ１０、Ｓ１１、Ｓ１２、Ｓ１３）、電話端末２６においてフッキング（Ｓ２４）後に特番ダイアル又はボタン操作（Ｓ２５）することにより、電話端末２６と交換機１０の接続が切断され（Ｓ１４）、交換機１０はトランクの解放を行い（Ｓ１５）、インターネットゲートウェイ１６とパソコン２２の間のＴＣＰ／ＩＰリンクが解放されて通話が終了し、交換機１０における制御部３２のＬＣＲ制御３２1 、切替制御３２2 、再発信制御３２3 の機能により、図５に示したＳ２の結果で交換機１０のメモリ３４に記憶されているＢの電話番号（１２３−４５６７）よりＬＣＲ制御（Ｓ３）を行い、交換機１０は公衆網接続のトランク３８1 〜３８m の中から１つのトランクを捕捉する。更に、Ｂの電話番号（１２３−４５６７）が公衆網２０に送出され（Ｓ２０）、Ｂへ着信し（Ｓ２１）、電話端末２４において呼出が行われる。Ｂが応答すれば（Ｓ２２）回線接続され（Ｓ２３）、電話端末２６と電話端末２４との通話が開始される。
【００２３】
このように、簡易な操作でネットワークの切替えが行われるので、発信者は電話を切断して別の番号にかけ直すこと無く、容易に通話を続けることができる。
図８において、電話端末２６がＢへ発信（Ｓ１）した際に、インターネット方路がトランクビジー（Ｓ２６）であった場合、交換機１０は制御部３２のＬＣＲ制御３２1 、切替制御３２2 、再発信制御３２3 により公衆網接続のトランク３８1 〜３８m の中から１つのトランクを捕捉し、Ｂの電話番号（１２３−４５６７）が公衆網２０に送出され（Ｓ２０）、Ｂへ着信し（Ｓ２１）、電話端末２４において呼出が行われる。Ｂが応答すれば（Ｓ２２）回線接続され（Ｓ２３）、電話端末２６と電話端末２４との通話が開始される。
【００２４】
このように、インターネット方路がトランクビジーであった場合、自動的にインターネット以外のネットワークに切替わり、接続されるので、発信者は電話をかけ直すこと無く通話を開始することができる。
図９において、電話端末２６がＢへ発信し（Ｓ１）、交換機１０がＢへトランク発信し（Ｓ４）、インターネットゲートウェイ１６においてＢの電話番号がパソコン２２のＩＰアドレスに変換され（Ｓ５）、パソコン２２にアドレスレゾリューションプロトコル（ＡＲＰ）により接続をかけたが、インターネット１８又はパソコン２２の不具合等によりアドレスレゾリューションプロトコル（ＡＲＰ）の応答が無い場合（Ｓ２７）、又はインターネットゲートウェイ１６とパソコン２２間のＴＣＰ／ＩＰリンクが確立できない場合（Ｓ２８）、インターネットゲートウェイ１６は交換機１０にビジートーン（ＢＴ）を送出する（Ｓ２９）。交換機１０は制御部３２のＬＣＲ制御３２１、切替制御３２２、再発信制御３２３により、公衆網接続のトランク３８1 〜３８m の中から１つのトランクを捕捉し、Ｂの電話番号（１２３−４５６７）が公衆網２０に送出され（Ｓ２０）、Ｂへ着信し（Ｓ２１）、電話端末２４において呼出が行われる。Ｂが応答（Ｓ２２）すれば回線接続され（Ｓ２３）、電話端末２６と電話端末２４との通話が開始される。
【００２５】
このように、インターネット経由での接続ができなかった場合、自動的にインターネット以外のネットワークに切替わり、接続されるので、発信者は電話をかけ直すこと無く通話を開始することができる。
続いて、図３に示す交換機１０の上記各シーケンスに応じた動作を図１０のフローチャートを参照して詳細に説明する。図１０は交換機１０の制御部３２における処理フローを示す。同図においては交換機１０が専用線に接続するトランクも有している場合を示している。すなわち、図３においてインターネットゲートウェイ１６とインターネットゲートウェイ１６に接続されるトランク３６1 〜３６n 、公衆網２０と公衆網２０に接続されるトランク３８1 〜３８m に加えて、専用網と専用網に接続される複数のトランクを有している例を示している。交換機１０がＬＣＲ発信特番（ＬＣＲ制御を行うことを交換機に知らせるために、相手先番号の先頭に付する予め決めておいた固有の番号である。）を受信（Ａ）すると、相手電番を受信およびメモリ３４に記憶（Ｓ３０）する。次に、受信した電番からＬＣＲ制御３２1 によりＬＣＲ処理（Ｓ１１）を行い、専用線トランク捕捉（Ｓ３２）、公衆網トランク捕捉（Ｓ３３）、インターネットゲートウェイトランク捕捉（Ｓ３４）のいずれか一つを選択する。選択したトランクにダイアル送出、発信処理を実施する（Ｓ３５）。
【００２６】
ここで、接続完了すれば音声送出を行う（Ｓ３６）。ビジートーン（ＢＴ）を検出した場合、インターネットゲートウェイ１６と接続中であれば、切替制御３２2 によりメモリ３４から電番をロードし（Ｓ３７）、迂回ルートを選択して（Ｓ３８）、再発信制御（３２3 ）により専用線トランク捕捉（Ｓ３９）又は公衆網トランク捕捉（Ｓ４０）をした後、ダイアル送出、発信処理（Ｓ４１）を行い、接続完了すれば捕捉したトランクに音声送出を行う（Ｓ４２）。接続完了しない場合はルート切替等の処理を行う。
【００２７】
最初にＬＣＲ発信特番でなく接続替え特番を受信（Ｂ）した場合には、メモリから電番をロードする処理（Ｓ３７）から行う。Ｓ３７以降の処理は上記の説明と同様である。
図１１はインターネットゲートウェイ１６の処理フローを示す。回線インターフェース４０を介して着番号／ＩＰアドレス変換部４４が交換機１０より電番を受信すると（Ｓ５０）、電番をＩＰアドレスに変換し、インターネット網へ接続要求を行う（Ｓ５１）。ここで、呼び出し中であれば交換機１０へリングバックトーン（ＲＢＴ）を送出し（Ｓ５２）、相手パソコンとのリンクが確立できずにタイムアウトした場合は交換機へビジートーン（ＢＴ）を送出する（Ｓ５６）。リングバックトーン（ＲＢＴ）送出後（Ｓ５２）にリンクが確立しなかった場合も交換機へビジートーン（ＢＴ）を送出する（Ｓ５６）。
【００２８】
交換機１０へリングバックトーン（ＲＢＴ）を送出後（Ｓ５２）にリンクが確立すると、交換機１０へ接続完了を通知し（Ｓ５３）、音声変換部４２において音声信号をパケットに変換してインターネット１８へ転送する（Ｓ５４）。通話が終了すれば切断処理を行う（Ｓ５５）。
図１２に、図１１に示したアドレス変換処理（Ｓ５１）におけるアドレス変換例を示す。図１２のアドレス変換例を図１３を参照して説明する。
【００２９】
図１３は本発明における第２の実施例である。同図中、Ｃの電話端末８０は交換機７０（７７２０局）に接続されている。交換機７０は、インターネットゲートウェイ７２と専用ＴＣＰ／ＩＰ網７８を経由してインターネットゲートウェイ７４（７７２１局）と接続する。インターネットゲートウェイ７４はＤの電話端末８２と交換機７６（７７２２局）が接続され、交換機７６はＥの電話端末８４が接続されている。インターネットゲートウェイ７２はインターネット１８を介してＦのパソコン８６と接続している。ここで、電話端末８０は２０００、交換機７０は７７２０、インターネットゲートウェイ７４は７７２１とＩＰアドレス１、交換機７６は７７２２、電話端末８２は２００１、電話端末８４は２００２、パソコン８６はＩＰアドレス２、とそれぞれアドレスを有する。またＦの電話番号は０４４−７７７−１２１２である。
【００３０】
図１２の（１）について図１３を参照して説明する。電話端末８０が電話端末８２に向けて発信するために７７２１−２００１を交換機７０に送出すると、インターネットゲートウェイ７２は交換機７０から７７２１−２００１を受信し、図１２の（１）に示すアドレス変換処理により７７２１−ＩＰアドレス１−２００１に変換してインターネットゲートウェイ７４に送出し、インターネットゲートウェイ７４は電話端末８２と接続され通話が開始される。
【００３１】
図１２の▲２▼について図１３を参照して説明する。電話端末８０が電話端末８４に向けて発信するために７７２２−２００２を交換機７０に送出すると、インターネットゲートウェイ７２は交換機７０から７７２２−２００２を受信し、図１２の▲２▼に示すアドレス変換処理により７７２２−ＩＰアドレス１−２００２に変換してインターネットゲートウェイ７４に送出し、インターネットゲートウェイ７４は電話端末８４と接続され通話が開始される。
【００３２】
図１２の▲３▼について図１３を参照して説明する。電話端末８０がパソコン８６に向けて発信するために０４４−７７７−１２１２を交換機７０に送出すると、インターネットゲートウェイ７２は交換機７０から０４４−７７７−１２１２を受信し、図１２の▲３▼に示すアドレス変換処理によりＩＰアドレス２に変換してインターネット１８に送出し、パソコン８６と接続され通話が開始される。
【００３３】
次に、交換機制御プログラムを記録した記録媒体について説明する。交換機制御プログラムを記録した記録媒体は図３に示すメモリ３４に相当するものである。メモリ３４には図１０のフローに従い制御部３２を動作させるためのプログラムが格納されており、既存の交換機のメモリ部にこのプログラムを格納することにより、既存の交換機を本発明の交換機として使用することができる。メモリ３４を実現する記録媒体としては、電子メモリやハードディスク、光磁気ディスク等がある。
【００３４】
なお、本発明は上記実施例に限定されていない。例えば図３において、公衆網２０は有線のみならず無線でも接続可能であり、インターネット以外のネットワークとして公衆網２０のみを示したが、複数の異なるネットワークにも接続可能である。また、図１３において、専用ＴＣＰ／ＩＰ網７８がインターネット１８である構成でも接続可能である。
【００３５】
【発明の効果】
本発明の交換機によれば、電話端末の番号を入力することでインターネットを介して相手先に接続することや、例えば公衆網を介して相手先に接続することができるようになる。よって、従来のように各ネットワークに固有の相手先番号を発信者が認識する必要はなく、１つの番号を認識していれば良い。また、インターネットを介した通話を発信者の操作により容易にインターネット以外のネットワークを介した通話に切替えることができるので、インターネットの通話音質が低下した場合に、従来のように一旦接続を切断してかけ直す操作をすること無く、インターネット以外のネットワークを介した通話に切替えて通話を行うことができる。また、ネットワークに固有の相手先番号を発信者が認識する必要はなく、１つの番号を認識していれば良い。
【００３７】
また、請求項１に記載の交換機によれば、受け取った相手先の電話端末の番号から、インターネットを含む接続可能な複数のネットワークのうちの最も安価なネットワークを自動的に選択できるので、従来のように各ネットワークに固有の相手先番号を発信者が認識する必要はなく、１つの番号を認識しているだけで最も安価なネットワークを介して通話ができるようになり、長距離通話等における通話料削減に効果がある。また、ネットワークに固有の相手先番号を発信者が認識する必要はなく、１つの番号を認識していれば良い。
【００３８】
請求項２に記載の交換機によれば、オンフック後の特番ダイアル操作またはボタン操作をすることで、インターネットを介した通話をインターネット以外のネットワークを介した通話に切替えることができるので、インターネットの通話音質が低下した場合に、従来のように接続を切断してかけ直す操作をすること無く、インターネット以外のネットワークを介した通話に切替えて通話を行うことができる。また、ネットワークに固有の相手先番号を発信者が認識する必要はなく、１つの番号を認識していれば良い。
【００３９】
請求項３に記載の交換機によれば、フッキング後の特番ダイアル操作またはボタン操作をすることで、インターネットを介した通話をインターネット以外のネットワークを介した通話に切替えることができるので、インターネットの通話音質が低下した場合に、従来のように接続を切断してかけ直す操作をすること無く、インターネット以外のネットワークを介した通話に切替えて通話を行うことができる。また、ネットワークに固有の相手先番号を発信者が認識する必要はなく、１つの番号を認識していれば良い。
【００４０】
請求項４に記載の交換機によれば、インターネット方路が話中である時、自動的にインターネット以外のネットワークに切替えて相手先電話端末に発信されるので、従来のように電話をかけ直すこと無く、通話を開始することができる。また、ネットワークに固有の相手先番号を発信者が認識する必要はなく、１つの番号を認識していれば良い。
【００４１】
請求項５に記載の交換機によれば、インターネット又は相手先端末に不具合等がありインターネット経由での接続ができない場合、自動的にインターネット以外のネットワークに切替えて相手先電話端末に発信されるので、従来のように電話をかけ直すこと無く、通話を開始することができる。また、ネットワークに固有の相手先番号を発信者が認識する必要はなく、１つの番号を認識していれば良い。
【図面の簡単な説明】
【図１】従来のインターネット電話の一例を示す図である。
【図２】本発明の第１の実施例である。
【図３】図２に示す構成の中で交換機とインターネットゲートウェイの構成を示した図である。
【図４】図１又は図２に示すインターネットゲートウェイのソフトウェア構成図である。
【図５】本発明の第１の実施例によるシーケンス図であり、切替がない場合を示す。
【図６】本発明の第１の実施例によるシーケンス図であり、オンフックによる切替を行う場合を示す。
【図７】本発明の第１の実施例によるシーケンス図であり、フッキングによる切替を行う場合を示す。
【図８】本発明の第１の実施例によるシーケンス図であり、インターネット接続方路通話中の場合を示す。
【図９】本発明の第１の実施例によるシーケンス図であり、インターネットリンクが確立できない場合を示す。
【図１０】本発明の実施例における交換機の制御部における処理フロー図である。
【図１１】実施例中のインターネットゲートウェイにおける処理フロー図である。
【図１２】図１１に示すアドレス変換処理におけるアドレス変換例である。
【図１３】本発明の第２の実施例における構成図である。
【符号の説明】
１０、７０、７６  交換機
１６、７２、７４  インターネットゲートウェイ
１８  インターネット
２０  公衆網
２４、２６、８０、８２、８４  電話端末
２２、８６  パソコン
１２、１４、３６、３８  トランク
３２  制御部
３４  メモリ
４０  回線インターフェース
４２  音声変換
４４  着番号／ＩＰアドレス変換
５０  インタフェース
５２  音声処理
５４  通信プロトコル処理
５６  デバイスドライバ
５８  音声処理管理
６０  回線管理
６２  接続制御
６４  アプリケーション
６６  データベース
７８  専用ＴＣＰ／ＩＰ網
【図１】
0004138116.tif 000002
【図２】
0004138116.tif 000003
【図３】
0004138116.tif 000004
【図４】
0004138116.tif 000005
【図５】
0004138116.tif 000006
【図６】
0004138116.tif 000007
【図７】
0004138116.tif 000008
【図８】
0004138116.tif 000009
【図９】
0004138116.tif 000010
【図１０】
0004138116.tif 000011
【図１１】
0004138116.tif 000012
【図１２】
0004138116.tif 000013
【図１３】
0004138116.tif 000014